(57)【特許請求の範囲】
【請求項１】
所定の開閉体を移動動作させる開閉装置において、
前記開閉体が閉鎖状態になるとそれを検出して信号を出力する動作通知部と、
当該動作通知部で出力された信号を受信して前記開閉体の移動動作の回数をカウントすると共に前記開閉体の開閉動作が指示されてそれに応じた前記開閉体の開閉動作が実行されたときに最新のカウント値を送信する外部カウンタ装置と、
少なくとも前記開閉体の開閉動作を行わせるリモコン送信機とを備え、
前記リモコン送信機に、前記外部カウンタ装置でのカウント情報を受信する無線通信手段と、前記移動動作の回数を表示する計数表示手段とを設けたことを特徴とする開閉装置。
【発明の詳細な説明】
【０００１】
【発明の属する技術分野】
本発明は開閉装置に関し、例えば、シャッター、ドア、窓、オーバーヘッドドア、門扉、ゲート（駐車場などのゲート）、ロールスクリーン（例えば遮光幕）、ブラインド、オーニング装置などの遠隔操作システム（リモコンシステム）などに適用し得るものである。
【０００２】
また本発明は、かかる開閉システムの構成要素としての開閉装置に関するものである。
【０００３】
【従来の技術】
従来、シャッターの開閉動作を行うシャッター装置において、モータなどの動力源、動力源から発生した機械的な動力を伝達するための伝達機構、および当該モータの回転を制御する制御回路などはシャッターケースの内部に収容されている。
【０００４】
これにより、シャッター装置にとって中枢を担うこれらの重要な構成要素を保護することができる。また同時に、ユーザが不用意に当該構成要素に触れたりすること等も防止できる。
【０００５】
なお、開口部を開放するときにシャッターカーテンを巻取り、閉鎖するときにシャッターカーテンを繰り出すように構成することを考慮すると、これらの構成要素はシャッター装置の最上部に集中配置するのが機能的に自然であるとともに効率的でもあり、実際のシャッター製品の多くがそのような構成を取っている。
【０００６】
一方、シャッターの開閉動作の回数をカウントし、表示するカウンタ装置も、通常は、前記伝達機構や制御回路に対する接続が効率的に行えるため、当該シャッターケースの内部に設けられている。そして保守作業を行う保守作業者などがシャッターケースを開いて当該カウンタ装置を目視することでこれまでの当該シャッター装置の開閉動作回数を確認する。開閉動作回数は、使用年数などとともに、シャッター装置の保守の時期や、保守の程度（どこまで保守、点検を行うか）などを判断する指標（管理情報）として用いられる。開閉動作回数をみれば、長い年月のあいだに少しずつ行われたユーザによるシャッター装置の使用回数（開動作および／または閉動作を行った回数）の総計を正確に知ることができる。
【０００７】
【発明が解決しようとする課題】
ところが一般のユーザにとって、前記シャッターケースを開いてカウンタ装置が表示している開閉動作回数を目視確認することは、かなり煩わしい作業であるため、実際にはほとんど行われず、有用な管理情報である開閉動作回数がほとんど活用されていないのが現状である。
【０００８】
したがって、例えば、保守を依頼する時期の判断なども、シャッター装置の動作がおおむね正常である場合、もっぱら使用期間にもとづいて行われている。
【０００９】
しかしながら使用期間が同じであっても、ユーザの使い方次第で、シャッター装置の開閉動作回数はかなり大きく相違するのが普通であるし、使用期間よりも開閉動作回数のほうが、適切な保守の時期の決定に関して支配的な要素となることも多いものと考えられる。
【００１０】
また、開閉動作回数は、長い年月のあいだに少しずつ蓄積されるものであるから、通常は、カウンタ装置をみることがほとんど唯一の正確な認識方法である。
【００１１】
なお、以上の課題は、シートシャッター、ガレージ用シャッター、窓用シャッターなどのシャッター用だけでなく、ドア、窓、オーバーヘッドドアなどの他の開閉システムにも共通している。
【００１２】
本発明は、利便性が高く管理が容易な開閉装置を提供することを目的とする。
【００１３】
【課題を解決するための手段】
かかる課題を解決するために、本発明では、所定の開閉体を移動動作させる開閉装置において、前記開閉体が閉鎖状態になるとそれを検出して信号を出力する動作通知部と、当該動作通知部で出力された信号を受信して前記開閉体の移動動作の回数をカウントすると共に前記開閉体の開閉動作が指示されてそれに応じた前記開閉体の開閉動作が実行されたときに最新のカウント値を送信する外部カウンタ装置と、少なくとも前記開閉体の開閉動作を行わせるリモコン送信機とを備え、前記リモコン送信機に、前記外部カウンタ装置でのカウント情報を受信する無線通信手段と、前記移動動作の回数を表示する計数表示手段とを設けたことを特徴とする。
【００１６】
【発明の実施の形態】
（Ａ）実施形態
以下、本発明にかかる開閉装置を、遠隔操作システムに適用した場合を例に、実施形態について説明する。
【００１７】
本実施形態では、当該遠隔操作システムは、有線リモコンシステムと無線リモコンシステムを混合した混合システムであるものとする。
【００１８】
シャッターシステムを構成要素として含むリモコンシステムにおいて、有線リモコンシステムとは、有線通信によってシャッター動作を行うものであり、無線リモコンシステムとは、無線通信によってシャッター動作を行うものである。
【００１９】
一般に、遠くから離れた不特定の位置からシャッター動作を行うことができ、使い勝手が良いという点では無線リモコンシステムが有利であり、通信の信頼性の点や、常に特定の位置でシャッター動作を指定したい場合などには、有線リモコンシステムが向いている。
【００２０】
また、同じシャッターシステムを有線でも無線でも制御できると、融通性に富み、ユーザの都合によりどちらの方法を取ることも可能となる。したがって実際のリモコンシステムは、これら無線リモコンシステムと有線リモコンシステムの特徴を混合した混合システムとすることも少なくない。
【００２１】
一方、シャッターの開閉動作の回数をカウント（累加算）して表示するカウンタ装置は大きく２つに分かれる。その１つは電気式カウンタ装置であり、もう１つは機械式カウンタ装置である。電気式カウンタ装置はカウント動作およびカウント結果の表示を電気的に実行する装置であり、機械式カウンタ装置はカウント動作およびカウント結果の表示を機械的に実行する装置である。
【００２２】
本発明は機械式カウンタ装置にも適用可能であるが、以下の実施形態では、電気式カウンタ装置に適用した場合について説明する。
【００２３】
（Ａ−１）実施形態の構成
シャッター装置の遠隔操作システム１０の全体構成例を図１に示す。
【００２４】
図１において、当該遠隔操作システム１０は、後述する記憶処理装置１１と、リモコン送信機１２と、シャッター１３と、固定操作部１４と、外部カウンタ装置１５とを備えている。
【００２５】
このうちシャッター１３は、ポリエステルなどの軽い素材によって構成されたシート状のカーテン部を主体とするシャッターであってもよいが、図示した例では、鉄などの金属によって構成された多数のスラットを備えるスラットシャッターを用いている。図１に示した状態では、シャッター１３は完全閉鎖と完全開放の中間位置にある。
【００２６】
当該シャッター１３の下端部１３Ａには、動作通知部１６が配置されている。
【００２７】
当該動作通知部１６はシャッター１３の開動作、閉動作、中間停止動作または停止のいずれか、または全てを検出し通知することができるものであればどのような装置であってもかまわない。検出対象としては、開動作または閉動作（完全開放状態と完全閉鎖状態の中間の位置で停止する中間停止動作も含む）につき、その開始または終了を選ぶことが可能で（動作の開始や終了は、例えば振動センサによって検出できる）あるし、検出結果の通知は有線または無線で通知することが可能である。
【００２８】
また、検出あるいは通知のために必要な電力は外部から供給を受ける構成としてもよく、当該動作通知部１６の内部で発生する構成としてもよい。内部で発生する場合には、電池を内蔵する構成や、シャッター１３の動作の機械的なエネルギーを電気的なエネルギーに変換して発電する構成などが考えられる。
【００２９】
ここでは一例として、検出対象には閉動作の終了（完全閉鎖）を選び、検出結果の通知には無線（特に赤外線）を用い、検出または通知に必要な電力は、内蔵した電池から得るものとする。
【００３０】
したがって、本実施形態の動作通知部１６は、シャッター１３の閉動作の終了を検出すると、内蔵電池が発生する電力を用いて赤外線を照射する機能を備えている。すなわち、シャッター１３が矢印Ｄ１方向に移動してシャッター下端部１３Ａが一点鎖線で示した位置ＰＮ１まで到達する完全閉鎖状態になると、動作通知部１６内の圧電素子などがそれを検出して、赤外線ＩＲを上方に照射する。
【００３１】
完全閉鎖状態が継続されるあいだ赤外線ＩＲが照射されつづけるようにしてもよいが、ここでは節電のため、所定時間（例えば、１秒未満）だけ照射したあと、照射を停止するものとする。
【００３２】
照射された赤外線ＩＲは、上方に配置された外部カウンタ装置１５によって受信され、その時点のカウント値をインクリメント（＋１）する。必要ならば、赤外線ＩＲを受信するたびにデクリメント（−１）するダウンカウンタを構成してもかまわないが、ここではインクリメントするアップカウンタを想定する。
【００３３】
外部カウンタ装置１５の内部構成は、前記動作通知部１６や、後述する記憶処理装置１１などとの関連によって規定される。例えば、記憶処理装置１１と接続するようにした場合にはカウント動作を自身では行わず、記憶処理装置１１が行ったカウント動作の結果を受け取ってその表示だけを外部カウンタ装置１５が行うようにすることも可能である。また、その接続が有線接続である場合には電源を記憶処理装置１１経由で受け取ることも容易である。
【００３４】
しかしながら本実施形態では、外部カウンタ装置１５を前記記憶処理装置１１と接続せず、内蔵した電池ＢＴを用いて必要な電力を得る構成としたため、その内部構成は一例として図５に示すようなものになる。
【００３５】
当該外部カウンタ装置１５の外観例は例えば図６に示すとおりであってよい。図６の表示面２３Ａにはこれまでの開閉動作回数（「０８２１７」）を示している。本実施形態では、検出対象として上述したように閉動作の終了を選んでいるため、この開閉動作回数は厳密には閉動作回数であり、中間停止動作の回数や開動作の回数は含まない。ただしシャッターの動作は同じ動作の繰り返しであり、完全閉鎖状態の次の動作は開放動作（中間停止動作も含む）しかあり得ないため、通常は、開閉動作回数をカウントすることと閉動作回数をカウントすることを厳密に区別する必要はないものと考えられる。
【００３６】
もちろん、必要ならばこれらを厳密に区別するようにしてもかまわない。
【００３７】
なお、振動センサなどを用いて開動作または閉動作の開始または終了を検出する場合は、１回のシャッター動作（例えば、閉動作）の開始時と終了時にカウント値が１回ずつインクリメントされるため、閉動作回数だけをカウント（閉動作の終了時にだけインクリメント）する場合に比べ、カウント値が単純に２倍または４倍になる。
【００３８】
当該外部カウンタ装置１５は、図１で現に設置してある位置ＣＰ０のほか、点線で示した候補位置ＣＰ１〜ＣＰ６のなかから選定した任意の位置に設置可能である。この設置は、例えば、機械的な部材の係合を用いて行ったり、磁石などの吸引力を用いて行うこと等が可能である。
【００３９】
位置ＣＰ０〜ＣＰ６のなかで、どの位置に外部カウンタ装置１５を設置するかは、ユーザＵ１の自由であるが、通常はユーザＵ１の視線の高さに近い位置が目視しやすく、好ましいものと考えられる。また、外部カウンタ装置１５の位置を変更した場合、必要ならば、動作通知部１６の位置も変更するようにしてもよい。
【００４０】
（Ａ−１−１）外部カウンタ装置の内部構成例
図５において、当該外部カウンタ装置１５は、制御部２０と、電圧レベル検出部２１と、電源部２２と、表示部２３と、カウンタ部２４と、センサ部２５と、保存部２６とを備えている。
【００４１】
このうちセンサ部２５は、カバー２５Ａで被覆されている外部カウンタ装置１５の内部に配置されたセンサで、前記動作通知部１６がシャッター１３の閉動作が終了するたびに照射する赤外線ＩＲを受信すると、その受信を信号Ｓ１２で制御部２０に伝える部分である。
【００４２】
これを受ける制御部２０は、外部カウンタ装置１５全体のＣＰＵ（中央処理装置）であるが、信号Ｓ１２を受けるたびにカウンタ部２４が格納しているカウント値ＣＴをインクリメントし、当該インクリメントによって得られた新たなカウンタ値ＣＴ＋１を当該カウンタ部２４に残すとともに信号Ｓ１０として表示部２３に供給する機能のほか、後述する各機能も備えている。
【００４３】
信号Ｓ１０を受け取る表示部２３は、当該信号Ｓ１０に応じたカウント値を表示面２３Ａに表示する部分で、内部で用いられる２進数などのカウント値を１０進数のカウント値に変換する操作（デコーダに相当）も実行する。１０進数を表示する方法には様々なものがあり得るが、ここでは一般的な７セグメント表示法を採用している。
【００４４】
７セグメント表示法は、図６の「０８２１７」で千の位に位置する「８」の例で明らかなように、７つのセグメントＳＧ１〜ＳＧ７のオン・オフの組合せ（例えば「８」の場合は、全セグメントＳＧ１〜ＳＧ７をオンにし、「７」の場合は、セグメントＳＧ１，ＳＧ２，ＳＧ３だけをオン、残りのセグメントをオフにする）によって１０進数を表現するものである。
【００４５】
各セグメントを物理的にどのように実現するかについても様々な方法が考えられる。例えば、１つのＬＥＤ（発光ダイオード）を１つのセグメントに対応付けることによって暗所でも明るい７セグメント表示が可能であるが、ＬＥＤは電力消費量が比較的大きい素子であり、素子サイズも大きく１０進数１桁あたりの装置サイズも比較的大きくなる傾向がある。このため、内蔵電池ＢＴによって表示を行う本実施形態では、節電やサイズが小さくできる点を重視して液晶などを用いるのが有利であると考えられる。
【００４６】
なお、表示面２３Ａに表示する１０進数の桁数は、あまり多すぎると、電力消費量や装置サイズが必要以上に大きくなるし、小さすぎると、保守の時期や保守の程度を判断する指標としての役割を果たすことができない。
【００４７】
したがって適切な桁数は、シャッター装置自体の耐久性や平均的なユーザの使用形態などを想定し、指標としての役割を果たせる限度で、できるだけ少なく設定されるべきものであると考えられるが、一例としては、図示した５桁程度であってよい。
【００４８】
５桁の場合には、最大で９９９９９回までカウントできるが、この最大値を超えた場合には、カウント値が巡回して、再度、１（００００１）からカウントアップするようにするとよい。その場合、必要に応じて、表示しているカウント値が２巡目（あるいは３巡目以降）のカウント値であることを表現するようにしてもよい。この表現には、専用の特別な桁（図示せず）を表示面２３Ａ内に用意するようにしてもよい。
【００４９】
なお、７セグメント表示の１桁は、１０進数の０〜９のほかに、アルファベットの「Ａ、ｂ、Ｃ、ｄ、Ｅ、Ｆ、Ｈ」の表示も可能である。例えば、「Ａ」は前記セグメントＳＧ４以外をオンとすることによって表示でき、「ｂ」は、前記セグメントＳＧ１とＳＧ２以外をオンとすることによって表示できる（因みに、当該「ｂ」と１０進数の「６」とは、セグメントＳＧ１のオン、オフが異なるために区別できる）。
【００５０】
このためこれら７種類のアルファベットを、図６に示した５桁のどこかに表示することによって２巡目、３巡目を表示するようにしてもよい。例えば、２巡目には「Ａ」を最下位桁に表示し、３巡目には「ｂ」を最下位桁に表示することによって巡回回数を表現するようにしてもよい。最下位桁（最下位桁でなくても可）の１０進数も表示できるようにしたければ、１０進数の表示と、アルファベットの表示を交互に（例えば、０．５秒置きに）切り替えるようにしてもよい。
【００５１】
次に、電源部２２は、上述した内蔵電池ＢＴを格納する部分である。当該電池ＢＴから得られた電力が、表示部２３や制御部２０など、外部カウンタ装置１５内の各構成要素に供給される。
【００５２】
電源部２２に信号Ｓ１５で接続されている電圧レベル検出部２１は、検出した電池ＢＴの電圧レベルＶＢを信号Ｓ１４として制御部２０に伝える部分である。
【００５３】
制御部２０では当該電圧レベルＶＢと予め設定された２つの閾値ＴＨ１，ＴＨ２とを比較することによって、当該電池ＢＴの電力の消耗度を監視しており、消耗度に応じた処理を実行する。一般的に電池は、消耗してくると内部抵抗が変化して発生する電圧レベルＶＢが低下するため、電圧レベルＶＢを検出することによってその消耗度を知ることが可能である。
【００５４】
ここで、閾値ＴＨ１は閾値ＴＨ２よりも高い電圧レベルに設定しておき、電池ＢＴが消耗して単調に電圧レベルＶＢが低下して行く場合、当該電圧レベルＶＢはまず閾値ＴＨ１以下になり、さらに消耗したときに閾値ＴＨ２以下となるようにする。電圧レベルＶＢが閾値ＴＨ１以下になったとき、制御部２０は電池の消耗をユーザＵ１に知らせるために、例えば、表示部２３による表示を変化させ、所定の電池消耗警告表示を行う。
【００５５】
どのような表示を当該電池消耗警告表示とし、電池の消耗をユーザＵ１に知らせるかについては様々な方法が考えられるが、一例としては、全桁につき、その時点のカウント値（例えば、「０８２１７」）と前記７種類のアルファベットのうちの１つを用いた表示（例えば、「００００Ｅ」）とを一定の時間間隔（例えば、０．５秒程度）で交互に切り替えることを電池消耗警告表示としてもよい。
【００５６】
もちろん、必要ならばこの表示とともに、またはこの表示に替えて、警告音などを発生するようにしてもよい。
【００５７】
電圧レベルＶＢがさらに低下して、閾値ＴＨ２以下になったときには、制御部２０はそのときのカウンタ部２４が格納しているカウント値を保存部２６に書き込む。
【００５８】
当該保存部２６は、電池ＢＴの電力が完全に無くなったり、電池ＢＴが電池交換などで完全に除去された場合でも、記憶内容を維持することができる記憶手段で、具体的には、ＥＥＰＲＯＭ（フラッシュメモリ：Electrical  Erasable  Programmable  ＲＯＭ）などの書き込み可能なＲＯＭ（リードオンリーメモリ）や、磁気的記憶手段、十分な電源バックアップ機構を備えたＲＡＭなどで構成することができる。
【００５９】
必要ならば、信号Ｓ１４の供給の有無にかかわらず、カウント値ＣＴがインクリメントされるたびにそのカウント値ＣＴを制御部２０が保存部２６に書き込むようにしてもよいが、電圧レベルＶＢが当該閾値ＴＨ２以下に低下した場合にだけ書き込むほうが、無駄な処理が発生しない点で効率的である。
【００６０】
電池ＢＴの消耗ではなく、電池交換等の場合には、信号Ｓ１４として検出される電圧レベルＶＢは、閾値ＴＨ１を超えているレベルから突然、閾値ＴＨ２以下になるが、このような場合には、前記電池消耗警告表示を行う必要はない。ただしその時点のカウント値を保存部２６に書き込む必要はあるので、この書込みに必要な最小限度の電力は、例えば、コンデンサ等を用いて常時確保するようにするとよい。
【００６１】
なお、本実施形態では前記動作通知部１６も自身の内蔵電池から必要な電力を得る構成としているため、もし必要ならば、動作通知部１６の内蔵電池が消耗したときにも、前記電池ＢＴが消耗したときと同様、前記電池消耗警告表示を行うようにするとよい。この場合、動作通知部１６が照射する赤外線ＩＲのパターンを変化させることで、内蔵電池の消耗を外部カウンタ装置１５に伝えることが可能である。
【００６２】
もちろん、電池ＢＴが消耗した場合と動作通知部１６の内蔵電池が消耗した場合とで、電池消耗警告表示の表示内容を変化させる（例えば、前記「００００Ｅ」の替わりに「００００Ｈ」を用いる）ようにしてもよいことは当然である。
【００６３】
図５に示す外部カウンタ装置１５内のカウンタ部２４はハードウエア的に構成することもソフトウエア的に構成することも可能であるが、いずれの場合でもカウンタ部２４は記憶機能をともなう。すなわち当該カウンタ部２４をハードウエア的に構成する場合には通常、フリップフロップを組み合わせて構成するが、当該フリップフロップ自体が記憶機能である。また、ソフトウエア的に構成する場合（インクリメントを制御部２０が実行する演算命令に基づいてソフトウエア的に行う場合）にはインクリメントしたカウント値を格納しておく部分は、制御部２０内のレジスタまたは制御部２０外のメモリ（ＲＡＭ）上の所定の領域になるが、これらはいずれも記憶機能そのものである。
【００６４】
いずれの場合でもカウンタ部２４の記憶機能は、ＲＡＭなどの揮発性メモリに依存するのが普通であるため、上述した保存部２６を設けるものとしたが、カウンタ部２４の記憶機能自体を不揮発性の記憶手段で実現する場合には、保存部２６を省略することができる。
【００６５】
外部カウンタ装置１５において、電池ＢＴが新しいものと交換されること等により、電圧レベルＶＢが前記閾値ＴＨ１を上回ると、保存部２６に書き込んでおいたカウント値を制御部２０が読み出してカウンタ部２４に書き込み、当該カウント値から新たなインクリメントが開始され得ることは当然である。
【００６６】
なお、本実施形態の場合、当該外部カウンタ装置１５はシャッター１３の開閉動作を制御する記憶処理装置１１に接続されていないため、記憶処理装置１１は、当該外部カウンタ装置１５の電源の有無、および当該外部カウンタ装置１５自体の存否にかかわらず通常の動作が可能である。ただし、外部カウンタ装置１５に電源が無い状態や、外部カウンタ装置１５が存在しない状態でシャッター１３が開閉動作されることは、外部カウンタ装置１５が表示するカウンタ値の判断指標としての信憑性を低下させるから、好ましくないことは当然である。
【００６７】
もし必要ならば、外部カウンタ装置１５に電源が無い状態や、外部カウンタ装置１５が存在しない状態ではシャッター１３の開閉動作を制限するようにしてもよい。
【００６８】
一方、前記シャッター１３の開閉動作などを指示するユーザＵ１は、壁ＷＡに固定的に設置された固定操作部（操作盤）１４を操作するか、または、リモコン送信機１２を操作することによって、所望の動作（開閉動作や、前記中間位置の設定の変更なども含む）を行わせることができる。
【００６９】
当該リモコン送信機１２は、例えば、図３に示すような外観を備えている。当該リモコン送信機１２は、携帯性に富み、ユーザＵ１の手の平に収まる程度にコンパクトなパームサイズの送信機である。このようにコンパクトな本体１２Ａ内にすべての機能を収容するため、当該リモコン送信機１２の機能は極限まで節約する必要がある。
【００７０】
図３において、リモコン送信機１２の本体１２Ａはその上面から突出したＰＢＳ（プッシュ・ボタン・スイッチ）形式の３つの操作スイッチ５１〜５３を備えている。これら操作スイッチ５１〜５３は、シャッター動作（一般的には、開閉体の開、閉、停などの動作）を行わせ得るシャッター操作スイッチである。
【００７１】
本実施形態では、当該シャッター操作スイッチ５１〜５３のうち、シャッター操作スイッチ５１は、シャッター１３の開動作を行わせるための開動作スイッチで、シャッター操作スイッチ５２はシャッター１３の閉動作を行わせるための閉動作スイッチで、シャッター操作スイッチ５３はシャッター１３の開動作または閉動作を任意のタイミングで停止させるための停止スイッチである。
【００７２】
わずか３つのシャッター操作スイッチ５１〜５３を用いて、このほかのシャッター動作を行わせることも可能である。例えば、閉動作スイッチ５２と停止スイッチ５３を同時に短く（例えば３秒以内）押すことによって、予め設定した所定の中間位置（中間停止位置）までの開動作および閉動作（すなわち中間停止動作）を指示できるようにしてもよい。
【００７３】
また、必要に応じて、これらの操作スイッチ５１〜５３の操作を５２，５３以外の組合せにしたがって組み合わせることにより、もっと複雑な動作を行わせることも可能である。一例として、スラットシャッターである当該シャッター１３では、換気動作（隣接するスラット間に設けられた開口の大きさを制御することによりシャッターの内外の空気が流通し得ない状態から流通し得る状態へ移行する動作）などが、当該複雑な動作に該当する。
【００７４】
通常、この種のシャッターの遠隔操作システムで用いられるリモコン送信機には操作スイッチ５１〜５３以外のユーザインタフェースは搭載しないことが多いが、本実施形態の場合には、表示面５３Ａが設けられており、表示面５３Ａに、シャッター１３の閉動作回数を示すカウント値が表示される。
【００７５】
当該リモコン送信機１２の内部構成例は図４に示す。
【００７６】
（Ａ−１−１）リモコン送信機の内部構成
図４において、リモコン送信機１２は、表示部５３と、無線通信部５４と、通信処理部５５と、プロセッサ５６と、手順記憶部５７と、操作検出部５８と、操作応答部５９とを備え、前記操作スイッチ５１〜５３は、当該操作検出部５８に設けられ、前記表示面５３Ａは当該表示部５３に設けられている。
【００７７】
このうち無線通信部５４は、無線伝送路としての空間を介してリモコン受信機を構成する記憶処理装置１１内の後述する無線通信部４１（図２参照）に対向する部分で、必要に応じて無線信号ＷＬ１の送信または、無線信号ＷＬ２の受信を行う。
【００７８】
例えば、シャッター動作を指示する場合には無線信号ＷＬ１の送信を行い、記憶処理装置１１からシャッターの動作回数を示すカウント値を受け取る場合には無線信号ＷＬ２の受信を行う。
【００７９】
なお、動作回数のカウントは、記憶処理装置１１側ではなく当該リモコン送信機１２側で行うことも考えられる。特に、リモコン送信機１２が１つしか存在せず、必ず当該リモコン送信機１２でシャッター動作を指示する場合ならば、リモコン送信機１２側で閉動作回数をカウントすることも簡便である。その場合、シャッター１３が閉動作を行うたびに、そのことを記憶処理装置１１からリモコン送信機１１へ通知するようにすれば、信憑性の高いカウント値を表示することが可能となる。
【００８０】
しかしながら本実施形態のような混合システムでは、リモコン送信機１２ではなく固定操作部１４を用いてシャッター動作を指示することもあるため、動作回数のカウントは記憶処理装置１１側で行うのが効率的である。
【００８１】
前記無線通信部５４に接続された通信処理部５５は、無線通信部５４の送受信に応じて通信信号ＷＳ１，ＷＳ２の送受信を行う部分である。そのために、当該無線通信部５４は、送信用および／または受信用のアンテナシステムやフィルタ回路などを備えている。
【００８２】
なお、当該無線信号ＷＬ１、ＷＬ２は、周波数帯域が例えば、３００ＭＨｚや４００ＭＨｚ程度で、送信電力が例えば１ｍＷ程度の微弱な電波であってよい。
【００８３】
通信処理部５５はまた、符号化処理、変調処理、復号処理、復調処理などの必要な処理を実行する機能を備え、そのために、プロセッサ５６とのあいだで通信処理信号ＲＰ１，ＲＰ２をやり取りする。すなわち、通信処理部５５から無線通信部５４へ通信信号ＷＳ１を送信する場合（これは、無線信号ＷＬ１を送信する場合に対応）には、当該通信信号ＷＳ１はプロセッサ５６から受け取る通信処理信号ＲＰ１に応じて生成し、無線通信部５４から通信処理部５５へ通信信号ＷＳ２を送信する場合（無線信号ＷＬ２を受信した場合）には、当該通信信号ＲＰ２をプロセッサ５６に供給する。
【００８４】
リモコン送信機１２の場合、当該通信信号ＷＳ１の内容は、例えば、指定するシャッター動作や、ＩＤ登録操作などの種類に応じて決定される有限個であるので、送信する情報の発生源（この発生源は、例えばＲＯＭ（リードオンリーメモリ）などであってよい）も通信処理部５５の内部に存在し、前記通信処理信号ＲＰ１に応じて当該発生源のなかから１つの送信情報を選択して読み出す構成であってもよい。
【００８５】
ここで、ＩＤとは、使用する周波数帯域などが同じであるためにリモコン受信機である記憶処理装置１１が混同する可能性のあるリモコン送信機を一義的に識別し、真に当該記憶処理装置１１に対して無線送信することのできるユーザの正当なリモコン送信機から送信された無線信号ＷＬ１だけに基づいて、シャッター１３の動作等を行うために使用される識別子である。そのため、リモコン送信機１２には無線送信するたびに無線信号ＷＬ１のなかに当該ＩＤを収容する証明機構（図示せず）が必要であり、記憶処理装置１１には当該ＩＤを識別し、ユーザ認証（または端末認証）を行うための検証機構（図示せず）が必要である。
【００８６】
また当該リモコン送信機１２では、通信信号ＷＳ１と同様、通信信号ＷＳ２の内容も有限個であるから、受信の際にも送信の場合のようにＲＯＭを活用することが可能である。
【００８７】
前記通信処理部５５に通信処理信号ＲＰ１を出力し、当該通信処理部５５から通信処理信号ＲＰ２を入力するプロセッサ５６は、当該リモコン送信機１２のＣＰＵである。
【００８８】
当該プロセッサ５６は受け取った通信処理信号ＲＰ２に基づいて、その時点のシャッター１３の閉動作のカウント値ＣＴを認識し、当該認識に応じた制御信号ＣＳを表示部５３に供給する機能を備えている。表示部５３は、前記外部カウンタ装置１５が内蔵している表示部２３と同様な機能を持つ構成要素であり（したがって表示面５３Ａは前記表示面２３Ａに対応する）、当該制御信号ＣＳによってその表示内容をプロセッサ５６から制御できる。
【００８９】
何を契機として記憶処理装置１１側が前記無線信号ＷＬ２を送信し、プロセッサ５６に通信処理信号ＲＰ２を供給するかについては、様々な構成が考えられる。一例として、常時、一定の時間間隔（例えば、１秒程度の間隔）で送信することも考えられるが、ここでは、リモコン送信機１２からシャッター動作を指示し、それに応じたシャッター動作を記憶処理装置１１が実行するときに、最新のカウント値ＣＴ（指示したシャッター動作が、閉動作である場合には、ＣＴ＋１）を、前記無線信号ＷＬ２に収容してリモコン送信機１２へ送信するものとする。
【００９０】
これにより、そのカウント値ＣＴ（またはＣＴ＋１）が例えば「０８２１７」である場合には、図３に示すように、当該「０８２１７」が、表示面５３Ａに表示される。
【００９１】
なお、本実施形態における前記外部カウンタ装置１５はリモコン送信機１２および記憶処理装置１１とは（無線でも有線でも）接続されていないが、当該外部カウンタ装置１５に類似したシャッター１３の閉動作のカウント機能を記憶処理装置１１が備えることによって、最新のカウント値ＣＴ（ＣＴ＋１）を収容した無線信号ＷＬ２を記憶処理装置１１からリモコン送信機１２へ送信することが可能となる。
【００９２】
また、前記外部カウンタ装置１５を設けた上に、当該リモコン送信機１２にまで表示部５３を設けるのは一見過剰な構成にも見えるが、ユーザＵ１がリモコン送信機１２を用いてシャッター１３の開閉動作を指示する場所では、必ずしもシャッター１３および外部カウンタ装置１５が見えるとは限らないため、必要性のある構成である。一例として、前記１ｍＷの送信電力を前提とすると、記憶処理装置１１から数１０ｍ程度離れた任意の位置（あいだに視界を遮る物体が存在していてもかまわない）からシャッター動作を指示することが可能である。
【００９３】
機能が極限まで節約された当該リモコン送信機１２を操作するユーザＵ１にとって唯一の遠隔操作手段である上述した３つの操作スイッチ５１〜５３を設けた操作検出部５８は、各操作スイッチ５１〜５３について、その押し下げストロークが所定の長さに達すると操作検出信号ＰＢ１、ＰＢ２を出力する部分である。
【００９４】
操作検出信号ＰＢ１は押し下げを検出した操作スイッチに応じて異なる状態をとり、その操作手順は手順記憶部５７に一時的に記憶される。
【００９５】
手順記憶部５７は一時記憶している手順がどのような操作または入力データを指定しているかを判定して、その判定結果である判定信号ＤＳをプロセッサ５６に供給する部分である。
【００９６】
前記操作検出信号ＰＢ１が前記手順記憶部５７に供給されるのと同時に操作応答部５９に供給される操作検出信号ＰＢ２も、当該ＰＢ１と同様に、押し下げを検出した操作スイッチに応じて異なる状態をとるようにしてもよいが、本実施形態では、操作スイッチ５１〜５３を区別せず、同じ状態をとるものとする。
【００９７】
当該操作検出信号ＰＢ２を受け取った操作応答部５９は、ブザーなどの音響発生器であり、操作スイッチ５１〜５３の押し下げが有効に検出されたことをユーザＵ１に伝えるために応答出力ＲＡを出力する部分である。本実施形態では、操作スイッチ５１〜５３を区別しないので、いずれかの操作スイッチが十分に押し下げられると、一定音程、一定音色のブザー音が応答出力ＲＡとしてユーザＵ１に聴取されることになる。これにより、ユーザＵ１は、聴覚的にスイッチ操作の有効性を確認することができる。
【００９８】
例えば、パーソナルコンピュータなどでキーボードを操作する場合など、リモコン送信機１２に比べるとはるかに大規模で豊富なユーザインタフェースを備えた環境ならば、あるキーの押し下げがマシンに認識されたか否かはビットマップディスプレイなどの画面表示を目視すること等によって容易に確認可能であるが、高度な携帯性が求められるリモコン送信機１２は、前述の機能の節約の観点から、機能が極限まで切りつめられるので、どのようにして小規模な構成で効率的にユーザの操作がマシン（ここではリモコン送信機１２）に認識されたか否かを確認するかは、重要になる。
【００９９】
なおここでは、操作応答部５９の応答出力ＲＡを一定音程、一定音色のブザー音としたが、必要ならば、押し下げられた操作スイッチ５１〜５３または同時に押し下げられた操作スイッチの組合せに応じて音程や音色などを変化させるようにしてもよい。また、音響発生器による聴覚的な手段にかぎらず、ＬＥＤ等の発光素子などを使用して、視覚的な手段で操作スイッチの操作が有効に検出されたことをユーザＵ１に伝えるようにしてもよく、視覚的な手段と聴覚的な手段を併用してもよい。
【０１００】
次に、前記シャッター１３の開閉動作を制御する記憶処理装置１１について説明する。
【０１０１】
記憶処理装置１１のほうも、コンパクト性やコスト低減などの観点で、できるだけ機能を節約したほうが好ましいが、リモコン送信機１２と異なり通常は固定的に配置されるものなので、機能の節約に対する要求水準はリモコン送信機１２ほど厳格ではないと考えられるから、可能なかぎり記憶処理装置１１のほうに多くの機能を配分する構成を取ることが、遠隔操作システム１０全体として、効率的である。
【０１０２】
当該記憶処理装置１１の内部構成例は、図２に示すとおりである。
【０１０３】
（Ａ−１−２）記憶処理装置の内部構成
図２において、当該記憶処理装置１１は、手順記憶部３１と、操作検出部３２と、保存部３３と、カウンタ部３４と、モータ制御部３５と、無線通信部４１と、通信処理部４２と、制御部４３とを備えている。
【０１０４】
このうち無線通信部４１は前記無線通信部５４に対応する部分であり、無線処理部４２は前記無線処理部５５に対応する部分である。したがって図２中で図４中と同一の符号を付与した各信号ＷＬ１，ＷＬ２，ＷＳ１，ＷＳ２，ＲＰ１，ＲＰ２も、図４中の信号と対応する。
【０１０５】
なお、リモコン送信機１２が記憶処理装置１１に対して自身の正当性を示すため、無線信号ＷＬ１には、前記ＩＤを収容して送信するものとしたが、本実施形態ではカウント値を知らせるために記憶処理装置１１側から無線信号ＷＬ２を送信する必要があるから、当該無線信号ＷＬ２には、記憶処理装置１１がリモコン送信機１２に対して自身の正当性を示すためのＩＤを収容するようにするとよい。
【０１０６】
また、モータ制御部３５は厳密には記憶処理装置１１の一部としてではなく、記憶処理装置１１の外部であってモータＭ１の近傍に配置される部分で、シャッター１３の開閉動作の動力源となるモータＭ１の動作を制御する。モータＭ１は図１に示すように、当該モータ制御部３５の機能も含む制御回路３５Ａ、モータＭ１が発生する機械的な動力をシャッター１３の開閉を行う機構に伝達するための伝達機構（図示せず）などとともに、シャッターケースＣＡの内部に収容されている。
【０１０７】
記憶処理装置１１の内部で当該モータ制御部３５に接続されている制御部４３は、当該記憶処理装置１１のＣＰＵであり、信号Ｓ２３を用いてモータ制御部３５を制御し、所望の開動作、閉動作等に応じた動作をモータＭ１に行わせる。
【０１０８】
当該制御部４３はまた、モータＭ１の出力軸の回転に応じてモータ制御部３５側から供給されるエンコーダパルスなどを用いることで、自身が行った論理的な制御の物理的な結果を確認することが可能である。すなわち、シャッター１３の閉動作を指示した場合、シャッター１３の閉動作が指示通りに完了したか否かを確認することができる。
【０１０９】
これにより、シャッター１３の閉動作が完了するたびに、カウンタ部３４に格納しているカウント値ＣＴをインクリメントすることができる。
【０１１０】
なお、必要ならば、カウンタ部３４におけるカウント値ＣＴのインクリメントを、モータ制御部３５への指示や、エンコーダパルスなどをもとに行うのではなく、前記外部カウンタ装置１５と同様に、シャッター１３の前記下端部１３Ａに設けた動作通知部１６が出力する赤外線ＩＲを受信することで実行するようにしてもよい。
【０１１１】
電動でシャッター１３を開閉する場合だけでなく、ユーザＵ１の人力を動力源とする手作業でシャッター１３の開閉を行うこともあり得るケースでは、赤外線ＩＲを受信するこの方法は、比較的簡単な構成の割に、信憑性の高いカウント値を得やすい利点がある。
【０１１２】
なお、もし必要ならば、例えば、シャッター１３の軌道を画定する前記ガイドレールＧＲに沿って、光電管などのセンサを配置することにより、下端部１３Ａが完全閉鎖位置に到達しシャッター１３が完全閉鎖状態になったことを検出し、その検出に基づいてカウント値をインクリメントするようにしてもよい。
【０１１３】
前記保存部３３は、前記保存部２６と同等な機能を持つ部分で、停電やユーザＵ１が行う操作などによって記憶処理装置１１に対する給電（この給電は家庭用の商用電源（ＡＣ１００ボルト）などを用いて行うことができる）が停止された場合でも、給電停止前のカウント値を保存する機能を持つ。
【０１１４】
なお、当該記憶処理装置１１には、図１および図２に示す前記固定操作部１４内に設けられた操作検出部３２（および操作応答部３３）が有線接続されている。
【０１１５】
ここで、固定操作部１４は、有線接続されている点、および表示部５３に対応する構成要素を持たない点を除き、基本的に前記リモコン送信機１２と同じユーザインタフェースをユーザＵ１に対して提供する部分である。
【０１１６】
したがって、当該操作検出部３２は前記操作検出部５８に対応し、操作スイッチ３３は前記操作スイッチ５３に対応し、操作スイッチ３４は前記操作スイッチ５４に対応し、操作スイッチ３５は前記操作スイッチ５５に対応し、操作応答部３３は前記操作応答部５９に対応する。また、図４と同じ符号を付与した各信号ＰＢ１、ＰＢ２、ＲＡの機能も図４と同じである。
【０１１７】
ただし固定操作部１４は、携帯性を要求されない点などでリモコン送信機１２よりも多機能化しやすいため、必要ならば、操作スイッチの数を増やしたり、操作応答部３３を多機能化したり、液晶ディスプレイ装置（これには、シャッター１３の閉動作回数を示すカウント値以外の情報を表示するとよい）を搭載したりすること等も比較的容易である。
【０１１８】
なお、ここでは、記憶処理装置１１を固定操作部１４の外に配置しているが、記憶処理装置１１の構成要素の全部または一部を、当該固定操作部１４内に配置することも可能なことは当然である。
【０１１９】
なお、本実施形態で制御部４３の外部に設けた記憶処理装置１１の各構成要素（例えば、３１など）は、実際の実装では、制御部４３の内部で主としてソフトウエア的に実現するようにしてもよい。
【０１２０】
また、本実施形態では、リモコン送信機１２、固定操作部１４のいずれを用いることもできるものとしたが、これらの操作の一部をリモコン送信機１２だけ（または固定操作部１４だけ）で行うことができるようにしてもよいことは当然である。
【０１２１】
以下、上記のような構成を有する本実施形態の動作を説明する。
【０１２２】
（Ａ−２）実施形態の動作
最初に、ユーザＵ１がリモコン送信機１２を用いてシャッター動作を指示する場合を想定する。ユーザＵ１は、外部カウンタ装置１５が表示するカウント値を視覚的に読み取れるほど外部カウンタ装置１５の近傍に位置してもかまわないが、ここでは、視界を遮るものが存在したり、距離が遠い等の理由で、そのような位置にはいないものとする。
【０１２３】
この場合、ユーザＵ１が例えば前記操作スイッチ５１を押すことでシャッター１３の開動作を指示し、その指示内容を含んだ無線信号ＷＬ１がリモコン送信機１２から送信され、記憶処理装置１１に正常に受信されると、制御部４３はモータ制御部３５を介してシャッター１３に開動作を行わせる。本実施形態では開動作は検出対象外であるため、この開動作によっては、カウンタ部３４が格納しているカウント値ＣＴ（例えば、「０８２１６」）は変化しない。
【０１２４】
しかしながらこの無線信号ＷＬ１の受信によって、記憶処理装置１１は、リモコン送信機１２が無線通信の可能な距離内に位置することを認識できるため、その時点のカウンタ部３４の格納内容である前記「０８２１６」を収容した無線信号ＷＬ２を返送する。
【０１２５】
この無線信号ＷＬ２を正常に受信したリモコン送信機１２側では、表示部５３に当該「０８２１６」を供給し、表示面５３Ａにその値を表示させるから、ユーザＵ１は、離れた場所にいてもその時点のカウント値を知ることが可能である。表示面５３Ａが表示しているカウント値は表示しつづけてもかまわないが、一定時間（例えば、数秒程度）表示したら表示を止めるのが節電の観点などから好ましいものと考えられる。
【０１２６】
もし必要ならば、検査対象外のシャッター動作（ここでは、開動作）が行われたときには、記憶処理装置１１は無線信号ＷＬ２の送信を行わないようにしてもよい。
【０１２７】
一方、前記外部カウンタ装置１５では、この間、当該「０８２１６」を表示しつづける。
【０１２８】
なお、外部カウンタ装置１５でも、必要ならば、当該カウント値を一定時間だけ表示して表示停止するようにしてもよい。ただし、当該一定時間の開始時刻としてインクリメントのタイミングを用いる場合には、前回のカウント値である「０８２１５」からインクリメントした直後の一定時間だけ当該「０８２１６」を表示することになる。
【０１２９】
次にユーザＵ１がリモコン送信機１２に対して行う操作がシャッター１３の開動作、中間停止動作、停止など、検査対象外のシャッター動作を指示するものである場合はこれと同じ処理の繰り返しで、そのたびに同じカウント値「０８２１６」が表示面５３Ａ上に一定時間だけ表示されたあと、表示が停止される。
【０１３０】
その間に、例えば、ユーザＵ１以外のシャッターユーザ（ユーザＵ１自身でも可）が固定操作部１４やリモコン送信機１２以外の正当なリモコン送信機（図示せず）を用いてシャッター１３の閉動作を行った場合には、記憶処理装置１１がカウント値ＣＴをインクリメントさせるため、当該インクリメントのあと、前記ユーザＵ１がリモコン送信機１２で開動作などを指示すると、インクリメント後のカウント値（ここでは、「０８２１７」）が表示面５３Ａ上に一定時間表示れることになる。
【０１３１】
記憶処理装置１１内でこのインクリメントが行われたとき、前記外部カウンタ装置１５内でも前記赤外線ＩＲをもとにインクリメントが行われて、表示面２３Ａに表示されるカウント値が当該「０８２１７」に変化する。
【０１３２】
なお、「０８２１６」からのインクリメントがリモコン送信機１２で行った操作スイッチ５２の押し下げによって発生する場合でも、記憶処理装置１１、動作通知部１６および外部カウンタ装置１５が行う処理は、固定操作部１４やリモコン送信機１２以外のリモコン送信機の操作によってインクリメントが発生した場合と同様であるが、リモコン送信機１２を操作するユーザＵ１からみると、自身が閉動作を指示する操作スイッチ５２を押した直後に、前回と同じ「０８２１６」ではなく、当該「０８２１６」からインクリメントされた「０８２１７」が表示される点が相違する。
【０１３３】
これによりユーザＵ１は、外部カウンタ装置１５の表示面２３Ａの内容を読み取ることができない場合にはリモコン送信機１２の表示面５３Ａの内容をもとに、また、外部カウンタ装置１５の表示面２３Ａの表示内容を読み取ることができる場合には、表示面２３Ａまたは表示面５３Ａの表示内容をもとにカウント値を目視確認することができる。このカウント値は、シャッター１３の運用開始時からの閉動作回数の総計を示しているため、適切な保守の時期の決定などに関して有用な情報となり得る。
【０１３４】
なお、誤動作などが発生した場合には、記憶処理装置１１が提供するカウント値と外部カウンタ装置１５が提供するカウント値が相違した値を示すこと（カウント誤差の発生）も起こり得ると考えられるが、カウント誤差が発生した場合には、いずれか信憑性の高いほうに他方の値を合わせるように調整操作を行うようにしてもよい。
【０１３５】
その場合、リモコン送信機１２または記憶処理装置１１には、当該調整操作を実行するための調整機構を設けるようにするとよい。
【０１３６】
（Ａ−３）実施形態の効果
本実施形態によれば、有用な管理情報である動作回数（閉動作回数）を、ユーザが容易に目視確認することができるため、利便性が高く、管理が容易である。
【０１３７】
（Ｂ）他の実施形態
上記実施形態では、本発明を混合システムに適用した場合を例に説明したが、本発明は、専用の無線リモコンシステムまたは有線リモコンシステムのいずれかに適用することも可能なことは上述した通りである。
【０１３８】
有線リモコンシステムに適用する場合、リモコン送信機は所定の装着部などに装着して、前記固定操作部１４を使用する場合のように、有線伝送路を介して記憶処理装置１１と通信するようにしてもよい。
【０１３９】
なお、上記実施形態では、無線信号ＷＬ１は周波数帯域が３００ＭＨｚや４００ＭＨｚ程度で、送信電力が１ｍＷ程度の微弱な電波であったが、本発明の適用範囲はこれに限定されるものではない。これよりも高い周波数や低い周波数の電波を使用してもよく、赤外線などを使用してもよい。また、送信電力もこれよりも大きくしてもよく、小さくしてもよい。
【０１４０】
上記実施形態では使用する外部カウンタ装置１５は１つであったが、例えば、工場などのように、多数のシャッター装置（例えば、シートシャッター装置）を配置してある場所では、各シャッター装置に対応した複数の外部カウンタ装置を一箇所に集中的に配置するようにしてもよい。
【０１４１】
当該工場等においては、シャッターの管理責任者が置かれることが多いが、複数の外部カウンタ装置を一箇所に配置することによって、管理責任者は容易にすべてのシャッターの動作回数を知ることができる。
【０１４２】
ただしこの場合には、外部カウンタ装置（１５）と動作通知部（１６）のあいだで見通しを確保することが困難であるから前記赤外線ＩＲを利用することは難しいと考えられる。したがって、電磁波を用いた無線通信や、有線通信を利用するのが実用的である。
【０１４３】
また、必要に応じて記憶処理装置（１１）と外部カウンタ装置（１５）とを接続するようにしてもよいこと、外部カウンタ装置（１５）自体にカウント機能を持たせなくてもよいこと、検出対象が閉動作の終了にかぎらないこと等は、すでに述べたとおりである。
【０１４４】
なお、リモコン送信機（１５）側の表示部（５３）または外部カウンタ装置（１１）のいずれか一方を省略することが可能である。
【０１４５】
リモコン送信機（１５）側の表示部（５３）を省略した場合、本発明では、既存のシャッター装置の遠隔操作システムに外部カウンタ装置（１５）と動作通知部（１６）に相当する構成要素を付加するだけで済み、従来の記憶処理装置（１１）に相当する構成要素などには全く改変を施す必要がない。したがって、実現性にも優れている。
【０１４６】
このことはまた、すでにいずれかのユーザの自宅や工場などで運用状態にある従来の遠隔操作システムに対し、外部カウンタ装置（１５）と動作通知部（１６）に相当する構成要素を付加するだけ本発明の効果が得られることを意味する。
【０１４７】
なお、上記実施形態では、記憶処理装置１１と固定操作部１４は有線接続したが、必要に応じてこれを無線接続するようにしてもよいことは当然である。
【０１４８】
また、上記実施形態において外部カウンタ装置１５は、シャッター１３の動作回数（閉動作回数、開閉動作回数など）を表示するものであったが、回数ではなく移動距離を計測してその値を表示するようにしてもよいし、移動距離に所定の演算を施して、例えば、開口部の高さ（場合によってはこの２倍の値）で移動距離を除すること等により、移動距離を回数に変換してその値を表示するようにしてもよい。シャッター１３の移動距離は、例えば、モータＭ１やシャッター１３の巻取り軸（図示せず）の回転量や移動量（必要に応じて方向も含む）の計測結果から、容易に求めることができる。
【０１４９】
さらに上記実施形態では、障害物感知機能についてはほとんど考慮していなかったが、遠隔操作システム１０は必要に応じて障害物感知機能を装備することがある。障害物感知機能は、例えば、閉動作中のシャッター１３の下端部１３Ａに不測の物体（障害物）が挟まれたり、開動作中のシャッター１３が障害物に開動作を阻まれたりすることを検出するための機能で、多くの場合、物体の当接を検出するセンサ部とセンサ部が検出した物体の当接の事実を所定の通知信号を用いて障害物対応処理装置（例えば、前記記憶処理装置１１などに相当）に伝える通知部から構成される。当接の事実を認識した障害物対応処理装置は、モータＭ１を制御して、閉動作中のシャッター１３を停止したり、反転して開動作を行ったりする。
【０１５０】
このような障害物感知機能が装備されていて、当該障害物感知機能の前記センサ部が障害物に当接した場合にかぎらず、正常に全閉動作（シャッター下端部１３Ａの着地や着床等）や全開動作等を行った場合にも所定の通知信号を送信する場合には、当該通知信号を、シャッター１３の動作回数のカウントに活用することが可能である。
【０１５１】
この場合、障害物対応処理装置は正常な閉動作等による通知信号であるか、障害物の当接による通知信号であるかを識別する識別機能（例えば、通知信号を受信したときに、シャッター下端部１３Ａなどの完全閉鎖位置を検出するリミットスイッチが検出出力を出しているか否かを参照することで識別できる）を持つ必要があると考えられるが、そのような識別機能の有無や識別機能との連携の有無と無関係に、当該通知信号を用いて閉動作等の回数をカウントすることが可能である。障害物の当接が起きるのは確率的に極めて希である等の理由で、障害物の当接を含めても動作回数の誤差の範囲として許容できる場合には、当該通知信号を利用したカウントも効果的である。
【０１５２】
もちろん、前記識別機能と連携して、真に正常な閉動作等が行われた場合にだけカウントするようにすれば、カウントの信憑性をさらに高めることができる。
【０１５３】
前記障害物感知機能の実現法の一例としては、シャッターの座板にスイッチと可動部を設け、座板に障害物などが当接すると、可動部が相対的に座板内を上昇して（これは、例えば、シャッター１３が下降することによって閉動作中の場合に対応する）、スイッチを押すことにより、例えば、赤外線などによる前記通知信号が送信される構成が考えられる。この場合、当該赤外線は、例えば、上方のまぐさ近辺に配置した前記障害物対応処理装置の受信部によって受信されることになる。
【０１５４】
この障害対応処理装置の受信部の近傍に外部カウンタ装置１５を設置しておくこととし、この外部カウンタ装置１５自身が独自で前述の赤外線（より一般的には無線信号）を傍受して当該通知信号に基づいてカウントするように構成することにより、外部カウンタ装置１５を開閉体の動作を制御する部分とは物理的に切り離し、また情報の相互伝達等を不要とするようにできる。
【０１５５】
なお、前記障害物感知機能のなかの通知部の動作としては、前記センサ部が物体の当接を１回検出するたびに通知信号を１回送信するのが基本であると考えられるが、例えば、通知信号の伝送が伝送途中で消滅する場合などに備えて当接検出１回につき複数回送信したり、あるいは当接がなくなるまで連続的（または間欠的）に送信したりすることも可能である。制御部側で１回の当接を認識することができるようにしておけば、いずれの動作を用いることも可能である。
【０１５６】
また、当該通知信号は赤外線などの無線にかぎらず、有線を用いて伝送するようにしてもよいことは当然である。また、障害物感知の方法については前記スイッチのような接触タイプのものに限定せず、光線切断状態検出や撮像装置等を用いた画像認識による把握等の非接触タイプでもよい。
【０１５７】
このような通知信号を用いた動作回数のカウントは、電動でシャッター１３を開閉する場合だけでなく、ユーザＵ１の人力を動力源とする手作業でシャッター１３の開閉を行う場合などにも適用可能である。
【０１５８】
また、上記実施形態における外部カウンタ装置１５は図１に示したとおりの位置ＣＰ０に配置したが、本発明ではこの位置は当該位置ＣＰ０に限定する必要はなく、さらに前記位置ＣＰ１〜ＣＰ６以外の位置であってもよい。
【０１５９】
外部カウンタ装置１５は、目視できる位置ではあるがあまり目立たない位置に配置することが好ましく、かつ人等が接触しにくい高い位置や遠い位置であることがさらに好ましい。具体例としては、上部に開閉体の収納部があり、下降により閉動作し、上昇により開動作を行う場合、上部のまぐさまたはこの近傍、好ましくはさらにガイドレールまたはこの近傍にも該当する位置に設置する。開閉を制御する制御部（記憶処理装置１１）から計数情報や表示情報を受信する場合には、制御部にも近い位置であればなお好ましい。
【０１６０】
また、上記実施形態では、リモコン送信機１２に搭載する機能をできるだけ少なくし、できるだけ多くの機能を記憶処理装置１１側に配分する構成を取ったが、必要ならば、記憶処理装置１１が搭載している機能の一部をリモコン送信機１２側に搭載する構成を採用することもできる。
【０１６１】
さらに、上記実施形態では、操作スイッチは、ＰＢＳ形式のスイッチであるものとしたが、本発明は、ＰＢＳ形式のスイッチに限って適用されるものではない。スライド式スイッチや回転式スイッチなどを使用してもよく、圧力や温度、静電気の変化などに反応する各種のスイッチを適用することもできる。
【０１６２】
なお、上記実施形態においては、スラットシャッターについて本発明を適用したが、本発明はスラットシャッター以外にも、シートシャッターなど各種のシャッターに適用することが可能である。
【０１６３】
さらに本発明は、シャッター用としてだけでなく、ドア、窓、オーバーヘッドドア、ロールスクリーン（例えば遮光幕）、ブラインド、オーニング装置などの他の開閉装置の混合システムにも適用することが可能である。
【０１６４】
また、以上の説明において、情報の流れる方向は、カウント値を知らせる場合を除きリモコン送信機からリモコン受信機（記憶処理装置１１）へ向かう単方向であったが、本発明の適用範囲はこのような単方向通信に限定されるものではない。
【０１６５】
すなわち当該リモコン送信機を送信専用の通信機器ではなく遠隔操作用の送受信機である操作送受信機に置換するとともに、当該リモコン受信機を受信専用の通信機器ではなく遠隔被操作用の送受信機である被操作送受信機に置換し、必要に応じて全二重通信や半二重通信が行えるようにしてもよい。
【０１６６】
このとき操作送受信機から被操作送受信機に向かう無線信号に含まれている信号は、前記シャッター動作などを指示する動作状態指示信号であってよく、反対に被操作送受信機から操作送受信機に向かう無線信号に含まれている信号は、シャッター動作の現状（カウント値以外の状態）を報告するための動作状態報告信号であってよい。
【０１６７】
当該動作状態報告信号は、その時点のシャッター動作状態が、例えば、「全開放状態」、「全閉鎖状態」、「一部開放状態（部分的に開放して停止している状態）」、「開動作中」、「閉動作中」、「異常発生」、モード（非制限操作または制限操作等の）状態などであることを示す信号であってよい。
【０１６８】
この場合、当該動作状態報告信号を受け取ることによって、操作送受信機のユーザは、シャッター動作状態が例えば当該「閉動作中」であることを認識することができる。
【０１６９】
また、当該操作送受信機を携帯受信機に置換し、被操作送受信機を固定送信機に置換することもできる。この場合、情報の流れる方向は、固定送信機から携帯受信機に向かう単方向となる。常時このような単方向通信だけが行われるシステム構成であってもよく、通信方向モード切換に応じて必要な場合にのみ、このような単方向通信を行い得るシステム構成であってもよい。
【０１７０】
すなわち、前記操作送受信機と被操作送受信機において、通信方向モード切換に応じて必要な場合にのみ、このような単方向通信を行い得るようにしてもよい。
【０１７１】
また、以上の説明では、主として、開閉装置側通信装置が遠隔被操作器であり、非開閉装置側通信装置が遠隔操作器である場合について説明したが、本発明は、このケースに限って適用できるものではない。
【０１７２】
非開閉装置側通信装置が受信だけを行う（ただし割り当てられているＩＤは送信する）実質的な受信専用機器である場合も考えられる。
【０１７３】
この受信専用機器は、例えば、メンテナンスなどを目的としたもので、開閉装置側通信装置が開閉体に関して保有している動作管理情報（開閉体の開閉位置、開閉回数、開閉に関する障害情報、開閉時の障害物当接感知の有無、モード（非制限操作または制限操作等の）状態、（前記下端部１３Ａの）位置データや補正値などを受信し、受信結果を表示するものであってよい。
【０１７４】
また、この動作管理情報を開閉装置側通信装置が送信する送信タイミングについては、例えば、曜日や時間などを固定的に予め決めておいたり、有線で送信指示が与えられた任意のタイミングを、当該送信タイミングとすること等も可能である。
【０１７５】
さらに、当該送信タイミングで送信される前記動作管理情報の具体的な内容についても、予め固定的に決めておくようにしてもよく、指示された内容だけを送信するようにしてもよい。
【０１７６】
【発明の効果】
以上に説明したように、本発明によれば、利便性が高く管理が容易な開閉装置を提供することが可能である。
【図面の簡単な説明】
【図１】実施形態に係る遠隔操作システムの全体構成例を示す概略図である。
【図２】実施形態に係る遠隔操作システムで使用する記憶処理装置の主要部の構成例を示す概略図である。
【図３】実施形態に係る遠隔操作システムで使用するリモコン送信機の外観例を示す概略図である。
【図４】実施形態に係る遠隔操作システムで使用するリモコン送信機の主要部の構成例を示す概略図である。
【図５】実施形態に係る遠隔操作システムで使用する外部カウンタ装置の主要部の構成例を示す概略図である。
【図６】実施形態に係る遠隔操作システムで使用する外部カウンタ装置の外観例を示す概略図である。
【符号の説明】
１０…遠隔操作システム、１１…記憶処理装置（リモコン受信機）、１２…リモコン送信機、１３…シャッター、１３Ａ…（シャッターの）下端部、１４…固定操作部、１５…外部カウンタ装置、１６…動作通知部、２３，５３…表示部、２３Ａ、５３Ａ…表示面、２４、３４…カウンタ部、２６，３３…保存部。
【図１】
0004132784.tif 000002
【図２】
0004132784.tif 000003
【図３】
0004132784.tif 000004
【図４】
0004132784.tif 000005
【図５】
0004132784.tif 000006
【図６】
0004132784.tif 000007